(57)【要約】ルアー式カテーテル接続のための挿入体は、メス型端およびオス型端を接続する、流体路を含む。オス型端は、カテーテルのメス型ルアー継手内への摺動可能挿入のために構成され、メス型端は、流体送達デバイスのオス型ルアーノズルを受容するように構成される。挿入体はまた、メス型ルアー継手と連結するために対面された内部ネジ山と、流体送達デバイス上の係止カラーと連結するために対面された外部ネジ山とを有する、ネジ山付きカラーを含む。流体路内に位置するカートリッジは、開存薬を保持し、さらに、流体がカートリッジを通過されるとき、開存薬をカテーテル中に放出させるように構成される。
2014524308.tif 000002
【特許請求の範囲】
【請求項１】
ルアー式カテーテル接続のための挿入体であって、
カテーテルのメス型ルアー継手内への摺動可能挿入のために構成される、オス型端と、
流体送達デバイスのオス型ルアーノズルを受容するように構成される、メス型端と、
前記メス型端および前記オス型端を接続する、流体路と、
前記流体路内に位置し、開存薬を保持し、さらに、流体が前記カートリッジを通過されるとき、前記開存薬を前記カテーテル内に放出するように構成される、カートリッジと
を備える、挿入体。
【請求項２】
前記カテーテルのメス型ルアー継手と連結するために前記オス型端に対面する内部ネジ山と、前記流体送達デバイス上の係止カラーと連結するために前記メス型端に対面する外部ネジ山とを有する、ネジ山付きカラーをさらに備える、請求項１に記載の挿入体。
【請求項３】
前記カートリッジ内に保持される前記開存薬をさらに含む、請求項１に記載の挿入体。
【請求項４】
前記開存薬は、粒子形態において、前記カートリッジ内に保持される、請求項３に記載の挿入体。
【請求項５】
前記開存薬は、前記カートリッジを含浸させる液体である、請求項３に記載の挿入体。
【請求項６】
前記開存薬は、抗菌薬、抗ウイルス薬、抗真菌薬、および抗血栓薬のうちの１つを含む、請求項３に記載の挿入体。
【請求項７】
前記カートリッジは、多孔性材料を含む、請求項１に記載の挿入体。
【請求項８】
前記多孔性材料は、スポンジ材料である、請求項７に記載の挿入体。
【請求項９】
前記多孔性材料は、セラミックである、請求項７に記載の挿入体。
【請求項１０】
前記カートリッジは、それを通して軸方向に延在する、軸方向チャネルを含む、請求項１に記載の挿入体。
【請求項１１】
前記カートリッジはさらに、前記軸方向チャネルと流体連通する、少なくとも１つの半径方向チャネルを含む、請求項１０に記載の挿入体。
【請求項１２】
前記流体路は、前記オス型端に向かって延在する、内向きテーパを有する、請求項１に記載の挿入体。
【請求項１３】
前記内向きテーパは、約６％である、請求項１２に記載の挿入体。
【請求項１４】
前記流体送達デバイスは、無針注射器である、請求項１に記載の挿入体。
【請求項１５】
前記メス型端に取り外し可能に連結される、エンドキャップをさらに含む、請求項１に記載の挿入体。
【請求項１６】
前記エンドキャップは、自己密閉式注入可能キャップである、請求項１５に記載の挿入体。
【請求項１７】
前記流体路に沿って前記挿入体に貫通する、少なくとも１つの孔をさらに含む、請求項１に記載の挿入体。
【請求項１８】
カテーテルを維持するための方法であって、
挿入体を内腔およびメス型ルアー継手を有するカテーテルに接続するステップであって、前記挿入体は、オス型端と、メス型端と、前記メス型端および前記オス型端を接続する流体路と、前記流体路内に位置し、開存薬をその中に保持する、カートリッジとを備え、前記接続ステップは、前記オス型端を前記ルアー継手に連結するステップを含む、ステップと、
維持流体を含有する流体送達デバイスを前記メス型端に連結するステップと、
前記開存薬が前記内腔内に送達されるように、前記維持流体を前記流体路を通して前記カテーテル内に流動させるステップと
を含む、方法。
【請求項１９】
前記挿入体はさらに、前記カテーテルのメス型ルアー継手と連結するために前記オス型端に対面する内部ネジ山と、前記流体送達デバイス上の係止カラーと連結するために前記メス型端に対面する外部ネジ山とを有する、ネジ山付きカラーを備える、請求項１８に記載の方法。
【請求項２０】
前記流体送達デバイスは、無針注射器である、請求項１８に記載の方法。
【請求項２１】
前記開存薬は、抗菌薬、抗ウイルス薬、抗真菌薬、および抗血栓薬のうちの１つを含む、請求項１８に記載の方法。
【請求項２２】
前記開存薬は、粒子形態において、前記カートリッジ内に保持される、請求項１８に記載の方法。
【請求項２３】
前記開存薬は、前記カートリッジを含浸させる液体である、請求項１８に記載の方法。
【請求項２４】
前記カテーテルのその後のアクセスまで、前記挿入体を前記カテーテルに接続されたままにするステップをさらに含む、請求項１８に記載の方法。
【請求項２５】
前記流体送達デバイスを前記挿入体から分断し、エンドキャップを前記メス型端に取り付けるステップをさらに含む、請求項２４に記載の方法。
【請求項２６】
前記エンドキャップは、自己密閉式注入可能キャップである、請求項２５に記載の方法。
【発明の詳細な説明】
【背景技術】
【０００１】
カテーテル等のアクセスデバイスは、感染症を引き起こしやすく、生物付着問題を有する可能性がある。アクセスカテーテルに関する感染症および治療介入率は、カテーテルのタイプおよび留置の持続時間に基づいて、変動し得る。特に、長期血液アクセスデバイスの感染症は、患者の死につながる可能性がある、血流感染症と関連付けられ得る。アクセスデバイスを凝固または生物付着のため除去せざるを得ない状態を回避するために設計された治療介入は、多くの場合、患者が再建処置を受けることを要求し、アクセスデバイスは、除去され、交換される。ある場合には、傷ついたアクセス場所を犠牲にし、患者内の二次的場所にデバイスを留置することが必要である。アクセスデバイスの開存性を延長することによって、長期留置の実現可能性を改善し、患者を不必要な付加的治療介入手技による費用および外傷に曝す必要性を低減させることができる。
【発明の概要】
【課題を解決するための手段】
【０００２】
本開示は、カテーテルおよび他のアクセスデバイスの開存性を延長するデバイスおよび方法を目的とする。アクセスデバイスの典型的使用は、デバイス、例えば、血液または他の体液の試料を採取するため、あるいは薬物を送達するためのデバイスに周期的にアクセスすることを含む。そのようなアクセスデバイスは、多くの場合、注射器、瓶、およびバッグ等の流体送達および収集デバイスと接続するために、ルアー式接続部（例えば、ルアーロック接続部）を採用する。一側面では、本技術は、特に、ルアー式接続部を有するアクセスデバイスと併用するために想定される。
【０００３】
本デバイスおよび方法は、少なくとも部分的に、アクセスデバイスの内腔内への開存薬の送達を通して、アクセス事象間のアクセスデバイスの内側内腔を保護するように設計される。一実施形態では、デバイスは、アクセスデバイスのアクセス端に接続され得る、挿入体である。別の側面では、挿入体は、維持流体がカテーテル内に送達され、維持流体がカテーテルから排出される、次のアクセス事象までそこに残留し、開存性維持のプロセスにおいて、アクセス間で使用されることができる。
【図面の簡単な説明】
【０００４】
【図１】図１は、本技術による、例示的挿入体の概略図である。
【図２Ａ】図２Ａは、注射器およびカテーテル継手との連結に先立った図１の例示的挿入体の概略図である。
【図２Ｂ】図２Ｂは、注射器およびカテーテル継手と連結後の図１の例示的挿入体の概略図である。
【図３】図３は、本技術による、別の例示的挿入体の概略図である。
【図４】図４は、本技術による、例示的カートリッジの断面図である。
【図５Ａ】図５Ａは、本技術による、別の例示的挿入体の概略図である。
【図５Ｂ】図５Ｂは、本技術による、カートリッジの断面図である。
【図６】図６は、本技術の別の実施例による、カテーテルに連結されたキャップ付き挿入体の概略図である。
【発明を実施するための形態】
【０００５】
ここで、図示される実施例を参照するが、具体的用語が、それを説明するために本明細書で使用されるであろう。本技術の特徴および利点は、ともに、一例として、本技術の特徴を図示する、付随の図面と関連して検討される、以下の発明を実施するための形態から明白となるであろう。
【０００６】
本明細書および添付の特許請求の範囲で使用される単数形「ａ」、「ａｎ」、および「ｔｈｅ」は、文脈上明確に別段の指示がない限り、複数形の指示対象を含むことに留意されたい。
【０００７】
本明細書で使用されるように、用語「約」は、所与の値が端点を「わずかに上回る」または「わずかに下回る」場合があると定めることによって、数値範囲の端点に柔軟性を与えるために使用される。この用語の柔軟性の度合いは、特定の変数によって決定することができ、経験に基づいて決定するための当業者の知見および本明細書における関連する説明の範囲内となるであろう。
【０００８】
用語「カテーテル」は、概して、対象の内部身体空間への流体アクセスを提供するために使用されるデバイスを指すために本明細書では使用される。これは、経表皮的アクセス、ならびに対象の身体の導管、経路、または通路を通したアクセスを含む。これらのアクセスデバイスとして、限定ではないが、静脈カテーテル、動脈カテーテル、栄養管、注射ポート、灌流ポート、尿カテーテル、心室シャントポート、および同等物が挙げられる。
【０００９】
用語「開存薬」は、特に、アクセスに障害を来す、または患者の健康を脅かすプロセスを防止、抑制、改良するように、カテーテルの内腔内で作用することによって、カテーテルの実行可能性を助長、改善、または延長する薬剤を指すために使用される。そのようなプロセスとして、限定ではないが、病原性侵襲および感染症、血液凝固、プラークの蓄積、ならびに真菌成長が挙げられる。
【００１０】
サイズ、量、および他の数値データは、本明細書において範囲の形式で表現されるかまたは示されることがある。そのような範囲の形式は、単に利便性および簡潔さのために使用され、したがって範囲の限界値として明確に列挙される数値を含むだけでなく、各数値および部分範囲が明確に列挙されるかのように、その範囲内に包含されるあらゆる個々の数値または部分範囲も含むものとして、柔軟に解釈されるべきであると理解するべきである。例証として、数値範囲「約１．０〜２．０％」は、明示的に列挙された値約１．０％〜約２．０％だけではなく、また、個々の値および示された範囲内の部分範囲も含むと解釈されるべきである。したがって、本数値範囲内に含まれるのは、１．１、１．３、および１．５等の個々の値、ならびに１．３〜１．７、１．０〜１．５、および１．４〜１．９等の部分範囲である。この同じ原理は１つの数値だけを挙げる範囲に適用される。さらに、そのような解釈は範囲の広さまたは説明される特徴に関係なく適用されるべきである。
【００１１】
本明細書で使用されるように、複数の項目、構造的要素、組成的要素、および／または材料は、便宜上、共通のリストに示される場合がある。しかしながら、これらのリストは、リストの各要素が別個かつ独自の要素として個々に識別されるかのように解釈するべきである。したがって、そのようなリストの個々の要素はいずれも、別段の指示がない限り、単にそれらが共通のグループに表示されているからといって、同じリストの任意の他の要素の事実上の等価物として見なされるべきではない。
【００１２】
挿入体は、以下に説明される、本機能に従ったいくつかの特徴を含む。挿入体は、アクセスデバイスの内腔と連通するように、アクセスデバイスのアクセス端内に挿入するために構成される。より具体的には、挿入体は、アクセスデバイスと無針注射器等の維持流体送達デバイスとの間の接続部内に介在されるように設計される。挿入体はさらに、開存薬を保持し、維持流体がその中に装填されると、カテーテルの内腔内に本薬剤を放出するように構成される。
【００１３】
挿入体の特徴および機能は、図１に示される実施例等の例示的挿入体を参照することによって説明され得る。図１およびその後の図は、説明されるデバイスの構造的特徴を図示する概略であって、縮尺を伝えることを意図するものではないことに留意されたい。挿入体１００は、挿入体を通して延在する流体路１４によって接続される、メス型端１０およびオス型端１２を有する。流体路内に位置するカートリッジ１６は、流体流動をもたらし、また、使用前に、開存薬１８を保持し、次いで、適切な流体が流体路を通して流動されると、薬剤を放出するために構成される。例えば、カテーテルを維持するプロセスでは、維持流体は、挿入体を通して、カテーテルの内腔内に送達されることができ、流動方向は、矢印によって図１に示される。カートリッジ内の開存薬は、維持流体中に放出され、流体とともにカテーテルに流入し、それによって、開存薬がカテーテルから吸引され得る、カテーテルの次のアクセスまで、内腔内に開存薬を維持する。
【００１４】
ルアー式接続部内への挿入体の組み付けを促進するために、挿入体のオス型端は、カテーテルのアクセス端において、メス型ルアー継手内に挿入するために構成される。挿入体のメス型端は、注射器のまたは管のノズル等、流体送達デバイスのオス型ルアー特徴の挿入を受容するように構成される。ある実施形態では、挿入体はさらに、ルアー式接続部に関与するための特徴を含む。再び、図１の実施例を参照すると、挿入体１００上に同心上に据え付けられたネジ山付きカラー２０は、接続されたデバイス上のルアー式特徴と相互作用するためのサイズおよびピッチのネジ山を含むことができる。ルアー式接続部のオス型構成要素と典式的に関連付けられる、そのような特徴の１つは、メス型構成要素上のフランジまたは他の突起と係合する、係止カラーである。示されるように、ネジ山付きカラーは、挿入体のメス型端１０に対面し、挿入体と流体送達デバイスの連結を促進するように据え付けられる、外部ネジ山２２を含むことができる。ルアー式接続部内への挿入体の組み付けはさらに、挿入体のオス型端１０に対面し、カテーテルのメス型ルアー継手または他のアクセスデバイス上のフランジに係合するように構成される、内部ネジ山２４によって促進される。
【００１５】
挿入体１００を接続する際のカラーの作用は、図２Ａおよび２Ｂに示される実施例によって図示され、流体送達デバイスは、維持流体２８で充填された注射器２６である。注射器が、挿入体のメス型端１０内に挿入されると、ネジ山付きカラー２０の螺旋外部ネジ山２２は、注射器上の係止カラー３０に係合する。ネジ連結は、注射器ノズル３２が挿入体内に固着して着座されるまで、注射器または挿入体の回転によって達成されることができる。類似原理は、挿入体のオス型端１２に対面する内部ネジ山２４にも働く。すなわち、挿入体のオス型端が、カテーテル３６のメス型ルアー継手３４内に挿入されると、メス型ルアー継手上のフランジ３８は、相対的回転が連結を達成するように、内部ネジ山に係合する（完成した連結は、図２Ｂに示される）。
【００１６】
挿入体内側の流体路は、カテーテルの内腔および／または流体送達デバイスの内腔との流体連通を提供する。メス型端からオス型端までの流体路の寸法は、挿入体に接続されるべきデバイスのルアー継手を収容するように選択されることができる。ある場合には、利用可能な継手の寸法は、いくつかの標準的サイズのうちの１つとなる。例えば、国際標準化機構（ＩＳＯ）規格５９４は、注射器および他の医療用輸液装置と併用するためのルアー継手の要件を明記している。そのような基準下では、メス型継手は、オス型継手の外径を収容する内径を提供するように、オス型継手より大きい。そのような継手の一側面は、構成要素間の閉まり嵌めを提供するように設計された円錐形形状である。したがって、そのような継手の内腔は、典式的には、メス型端（存在する場合）から、および／またはオス型端（存在する場合）に向かって、テーパを呈する。ＩＳＯ−５９４は、６％テーパを規定している。ある側面では、挿入体の寸法のうちの１つ以上は、標準的ルアー継手に準拠するように選択される。一実施形態では、挿入体の流体路は、メス型端からオス型端に向かって延在する、テーパを呈する。具体的実施形態では、テーパは、約６％である。
【００１７】
再び、図１を参照すると、挿入体１００は、流体路１４内に据え付けられ、流体路を通した流体の流動をもたらすように構成される、カートリッジ１６を含む。カートリッジは、流体流動をもたらし、さらに、開存薬を保持し、次いで、薬剤をカテーテル内腔内に送達するために好適な任意の材料から作製されることができる。好適な材料として、スポンジ状材料、発泡体、繊維マトリクス等の多孔性材料、またはセラミック等のより剛性の多孔性材料が挙げられる。カートリッジは、挿入体の内側に嵌合し、使用の間、定位置に残留するように成形および定寸されることができる。カートリッジが、弾性材料から作製される場合、カートリッジは、拡張圧力によって定位置に保持されるように、定寸および成形されることができる。カートリッジは、接着剤、挿入体の内側表面上の突起、または網目スクリーン等の他の手段、あるいは十分な流体流動を妨害しない任意の他の特徴によって、定位置に固着されることができる。カートリッジはまた、液体または固体形態において開存薬を含有するコネクタ内に見出される、リザーバあるいはチャネルの集合の形態であってもよい。コネクタ内に導入される流体は、リザーバまたはチャネルの流体路を通過し、開存薬と混合する。
【００１８】
カートリッジは、挿入体の端部に対して、任意の位置に留置されることができる。特定の実施形態では、カートリッジは、オス型端内またはそれに隣接して留置される。一実施例では、カートリッジは、図１に示されるように、挿入体内に全体的に据え付けられる。いくつかの使用の場合、効果的開存性維持は、カートリッジの実質的部分をアクセスデバイスの内腔に暴露することによって実現されてもよい。故に、図３に示される挿入体１００の別の実施例では、カートリッジ１６は、カートリッジの一部が、設置されると、カテーテルの内腔内に延在するように、挿入体のオス型端１２を越えて延在することができる。一側面では、挿入体のオス型端は、カートリッジをアクセスデバイスのメス型継手内に誘導し、カートリッジを維持流体の体積内に位置付ける役割を果たす。別の側面では、より長いカートリッジが、より大量の開存薬を収容するように使用されることができる。カートリッジのサイズおよび形状はさらに、カートリッジと挿入体に連結された流体送達デバイスのオス型継手との間の介在空間を残すように選択されることができる。本実施例は、図１に示されるものと他の点では類似し、挿入体を通して延在する流体路１４によって接続される、メス型端１０およびオス型端１２を含む（有する）。流体路内に位置するカートリッジは、流体流動をもたらし、また、使用前に、開存薬１８を保持し、次いで、適切な流体が流体路を通して流動されると、薬剤を放出するために構成される。再び、挿入体上に同心上に据え付けられるネジ山付きカラー２０は、接続されたデバイス上のルアー式特徴と相互作用するためのサイズおよびピッチのネジ山を含むことができ、挿入体のメス型端に対面し、挿入体と流体送達デバイスの連結を促進するように据え付けられる、外部ネジ山２２を含むことができる。また、含まれるのは、挿入体のオス型端１０に対面し、カテーテルのメス型ルアー継手または他のアクセスデバイス上のフランジに係合するように構成される、内部ネジ山２４である。
【００１９】
カートリッジ材料は、カテーテルを装填するために適正な流体流動をもたらすために十分に多孔性であることができる。その実施例が図４に示される、特定の実施形態では、カートリッジは、それを通して軸方向に延在する、軸方向チャネル４０を含むことができる。そのようなチャネル４０は、流体路を通る流体の流動に対するカートリッジの抵抗を減少させる役割を果たすことができる。具体的実施形態では、軸方向チャネルは、図４に図示されるように、カートリッジの中心軸と一致してもよい。別の側面では、チャネルは、流体中への開存薬の拡散のための界面としての役割を果たすことができる。
【００２０】
さらなる実施形態では、軸方向チャネルは、図５Ａおよび５Ｂに示されるように、１つ以上の半径方向チャネル４２を介して、カートリッジの円周と連通することができる。図５Ａに示されるように、半径方向チャネルは、軸方向チャネルの長さに沿って、任意の点に位置することができ、単独または群のいずれかにおいて、軸方向チャネルに交わることができる。特定の側面では、半径方向チャネルは、軸方向チャネルに対して垂直に延在する。別の側面では、図５Ｂに示されるカートリッジの断面のように、半径方向チャネルは、カートリッジの中心軸に対して複数の角度において、軸方向チャネルから放射状に広がることができる。流体がカートリッジを通して流動するための付加的経路を提供することによって、半径方向チャネルはさらに、抵抗を減少させ、挿入体を通る流動率を向上させることができる。別の側面では、半径方向チャネルは、流体の分散を補助することができる。カートリッジが、オス型端１２を越えて延在すると、カートリッジの暴露された部分内の半径方向チャネルは、アクセスデバイス内腔のより近位の部分内に注入された流体を再分散および逆充填するのに役立ち得る。
【００２１】
流体流動を向上させるための別の特徴は、挿入体を貫通し、流体路１４との流体連通を提供し、および／またはカートリッジの一部をアクセスデバイスの内腔に暴露する、１つ以上の孔４４を備えることができる。本側面では、孔は、チャネルを有するカートリッジならびにチャネルを伴わないカートリッジと併せて含まれることができる。図５Ａに示されるように、孔は、カートリッジの一部に隣接して位置し、カートリッジ内の流体が挿入体に流出する付加的経路を提供することができる。また、図５Ａおよびさらに図５ｂに図示されるように、半径方向チャネルを含む挿入体の場合、孔は、半径方向チャネルと一致し、軸方向チャネルとアクセスデバイスの内腔との間の連通を完成させるように位置付けられることができる。図５ａおよび５ｂでは、示されるが、具体的には論じられない、他の参照番号は、図３および４に関して説明されるものに類似する。
【００２２】
特定の実施形態では、カートリッジは、開存薬を含有する、またはそれで装薬されることができる。開存薬は、カテーテルの開存性を助長する、またはより具体的には、カテーテル開存性または患者の健康に障害を来たし得る、薬剤およびプロセスに対して作用する、１つ以上の活性成分を含むことができる。そのような活性成分の非限定的実施例として、抗生物質、防腐薬、抗ウイルス薬、抗血栓薬、および抗真菌薬が挙げられる。開存薬はまた、例えば、適切な張性、ｐＨ、および塩分濃度を提供することによって、薬剤または維持流体の機能を助長するための他の成分を含むことができる。
【００２３】
開存薬は、カートリッジ材料内に保持され得るが、カテーテルに係止すると、放出可能である、任意の形態で含まれることができる。これらとして、液体形態、またはカートリッジ内の細孔空間内に保持される、粉末、顆粒、結晶、および同等物等の固体形態が挙げられ得る。一実施例では、好適な固体開存薬は、維持流体の存在下、溶液または懸濁液状態になるように調合されることができる。別の実施例では、カートリッジは、流体形態における開存薬で含浸され、次いで、乾燥し、カートリッジ材料に付着する。カートリッジへの維持流体の注入によって、次いで、カテーテル内への送達のために、開存薬を再構成する。
【００２４】
本技術の挿入体は、開存薬をカテーテルの内腔内へ送達することによって、カテーテル内の開存性を助長および延長する。このようにして、カテーテルの実質的長さが、活性成分に暴露されることができる。本アプローチのさらなる効果は、治療の間、既にカテーテル内腔に侵入している生物汚染物質に対処することができることである。二次的機能として、挿入体はまた、アクセス間において、カテーテルにキャップし、それによって、維持流体がカテーテルから逃散しないように防止し、また、アクセスポートを保護する役割を果たすことができる。例えば、カテーテルを維持流体で装填後、流体送達デバイスは、挿入体をカテーテルに連結されたままにして、挿入体から分断されることができる。図６に示されるように、挿入体１００は、挿入体のメス型端に取り外し可能に取り付けられ得る、エンドキャップ４６を含むことができる。エンドキャップは、挿入体（したがって、カテーテル３６）をアクセスからシールするための障壁としての役割を果たすことができる。いくつかのアクセス留置は、針によって穿刺され、次いで、自己シールし得る、注入可能エンドキャップを求める。特定の実施形態では、挿入体は、本使用形態の場合、自己密閉式注入可能エンドキャップを含む。再び、示されるのは、カートリッジ１６、流体路１４、およびネジ山付きカラー２０である。
【００２５】
本明細書に説明される挿入体は、ルアー式接続部と嵌合される、カテーテルまたは他のアクセスデバイスを係止するためのプロセスにおいて使用されることができる。そのようなプロセスは、前述のように、カートリッジが開存薬を保持する、挿入体を提供するステップと、挿入体のオス型端をカテーテルのメス型ルアー継手に連結するステップとを含むことができる。流体送達デバイスは、挿入体のメス型端に連結され、次いで、挿入体を通して、カテーテルの内腔内に維持流体を通過させるために使用される。開存薬は、維持流体とともに、カテーテルの内腔内に送達され、両方とも、次回、カテーテルがアクセスされるまで、残留することができる。係止手技はさらに、挿入体をカテーテルのメス型ルアー継手に連結されたまま残すステップを含むことができる。さらなる側面では、流体送達デバイスは、挿入体のメス型端において、エンドキャップと交換されることができる。
【００２６】
一側面では、デバイスは、カテーテルを係止するために使用され、次いで、続くアクセスのために除去される。特定の実施形態では、挿入体は、単回使用ベースで採用される。使用済みデバイスは、廃棄され、未使用デバイスが、その後の係止プロセスのために採用されることができる。
【００２７】
前述の実施例は、１つ以上の特定の用途における、本技術の原理の例証であるが、実装の形態、使用、および詳細における多数の修正が、発明的才能を行使することなく、かつ本技術の原理および概念から逸脱することなく、行われることができることは、当業者に明白となるであろう。故に、以下に明記される請求項を除き、本技術が限定されるものと意図されない。
【図１】
2014524308.tif 000003
【図２Ａ】
2014524308.tif 000004
【図２Ｂ】
2014524308.tif 000005
【図３】
2014524308.tif 000006
【図４】
2014524308.tif 000007
【図５Ａ】
2014524308.tif 000008
【図５Ｂ】
2014524308.tif 000009
【図６】
2014524308.tif 000010
【国際調査報告】
2014524308.tif 000011